(57)【要約】【課題】  端末に並ばずにアトラクションを予約できることにより利用客が順番待ちのために時間の浪費することを従来より軽減することができるアミューズメント施設運営システムを提供する。【解決手段】  携帯端末２００は、ＩＣチップ２７０のＩＤを施設内ネットワークＮを介してセンタサーバ１００に送信し、アトラクションの予約を要求する。センタサーバ１００は携帯端末２００からＩＣチップ２７０のＩＤを受信し、予約状況ＤＢを読み出して予約可能か否かを判断し、予約可能な場合は受信したＩＤを予約状況ＤＢに書き込む。センタサーバ１００は、予約確認情報を生成し携帯端末２００に送信する。携帯端末２００は、センタサーバ１００から予約確認情報を受信し、ＩＣチップ２７０に格納する。ＩＣチップ２７０はアトラクション入口端末３００に予約確認情報を送信する。アトラクション入口端末３００はＩＣチップ２７０から予約確認情報を受信する。【選択図】    図１
2006228105.tif 000002
【特許請求の範囲】
【請求項１】
無線通信によってネットワークと接続する携帯端末と、前記ネットワークに接続されたサーバと、前記ネットワークに接続され、アトラクションの入口に設置されたアトラクション入口端末とを具備するアミューズメント施設運営システムにおいて、
前記携帯端末は、
識別情報を予め記憶した識別情報記憶手段と、
前記ネットワークに無線で接続する第１の通信手段と、
前記識別情報記憶手段から前記識別情報を読み出す読み出し手段と、
前記読み出された識別情報を、前記第１の通信手段を用いて前記サーバに送信し、前記アトラクションの予約を要求する予約要求手段と、
前記サーバから、前記第１の通信手段を用いて予約時刻を含む予約確認情報を受信する予約確認情報受信手段と、
前記受信した予約確認情報を予約確認情報記憶手段に格納する予約確認情報格納手段と、
前記アトラクション入口端末と通信する第２の通信手段と、
前記第２の通信手段を用いて前記アトラクション入口端末に前記予約確認情報を送信する確認時予約確認情報送信手段とを具備し、
前記サーバは、
前記複数の前記アトラクションの予約状況を記憶した予約状況記憶手段と、
前記携帯端末から前記識別情報を受信する予約要求受信手段と、
前記予約状況記憶手段内の予約確認情報を読み出して予約可能か否かを判断し、予約可能であれば、前記受信した前記識別情報を前記予約状況記憶手段に書き込む予約状況更新手段と、
前記予約確認情報を生成して前記携帯端末に送信する予約時予約確認情報送信手段とを具備し、
前記アトラクション入口端末は、前記携帯端末から送信される予約確認情報を受信して予約の有無を判断し外部に通知する予約確認手段を具備することを特徴とするアミューズメント施設運営システム。
【請求項２】
前記予約要求手段は、前記識別情報と共に予約を要求する時間を前記サーバに送信することを特徴とする請求項１に記載のアミューズメント施設運営システム。
【請求項３】
前記識別情報記憶手段と、前記予約確認情報記憶手段と、前記予約確認情報送信手段と、前記第２の通信手段は、ＩＣチップに含まれることを特徴とする請求項１または２に記載のアミューズメント施設運営システム。
【請求項４】
前記携帯端末は、
自身の現在位置を示す現在地情報を取得する現在地情報取得手段と、
前記アミューズメント施設内の地図情報を予め記憶した地図情報記憶手段と、
前記地図情報に基づいて地図を表示すると共に、前記現在地情報を前記地図上に表示する位置情報表示手段とを更に具備することを特徴とする請求項１〜３のいずれかの項に記載のアミューズメント施設運営システム。
【請求項５】
予め記憶された、自身の場所を示す端末位置情報を記憶手段から読み出して、前記携帯端末に送信する端末位置情報送信手段を具備する位置情報端末を更に有し、
前記携帯端末は、前記位置情報端末から送信される端末位置情報を受信する端末位置情報受信手段を更に有し、
前記位置情報表示手段は、前記端末位置情報を前記地図上に更に表示することを特徴とする請求項４に記載のアミューズメント施設運営システム。
【請求項６】
前記予約時予約確認情報送信手段は、前記アトラクションの位置を示すアトラクション位置情報を含む予約確認情報を生成して前記携帯端末に送信し、
前記位置情報表示手段は、前記予約確認情報から前記アトラクション位置情報を読み出し、前記地図上に更に表示することを特徴とする請求項４に記載のアミューズメント施設運営システム。
【請求項７】
前記携帯端末は、前記位置情報表示手段が表示する前記地図に対してユーザが指定する指定位置情報を入力する指定位置情報入力手段と、
前記位置情報表示手段は、前記指定位置情報入力手段から入力された指定位置情報を前記地図上に更に表示することを特徴とする請求項４に記載のアミューズメント施設運営システム。
【請求項８】
前記携帯端末と通信する支払い端末を更に有し、
前記携帯端末は、合計料金データを記憶する合計料金記憶手段と、
前記支払い端末へ、前記合計料金データを送信する合計料金送信手段と、
前記支払い端末から、更新された前記合計料金データを受信して前記合計料金記憶手段に格納する合計料金格納手段とを更に有し、
前記支払い端末は、
商品またはサービスの価格データを記憶する価格記憶手段と
前記携帯端末から前記料金データを受信する合計料金受信手段と、
前記価格記憶手段から前記価格データを読み出し、それに基づいて前記受信した合計料金データを更新する合計料金更新手段と、
前記更新した合計料金データを前記携帯端末へ送信する更新時合計料金送信手段とを具備することを特徴とする請求項１〜７のいずれかの項に記載のアミューズメント施設運営システム。
【発明の詳細な説明】
【技術分野】
【０００１】
本発明は、予約処理や料金徴収処理等を行うアミューズメント施設運営システムに関する。
【背景技術】
【０００２】
従来の遊園地等のアミューズメント施設においては、施設内の各アトラクションを利用するために、その都度に希望するアトラクションの入口に並んで順番を待っていた。しかしながら、この方法は、希望するアトラクションが人気がある場合、他の大勢の利用客が、同様に入口で順番を待つため、長時間順番待ちすることになる。また、前もって配布される整理券を得て、指定された時間にアトラクションに入場する方法もあるが、人気のあるアトラクションの整理券を得るために、やはり大勢の利用客が順番待ちをする必要があり、そのために時間を浪費しなければならなかった。
この問題に対し、アトラクション付近に予約用と入場者確認用の端末を設置し、利用客に無線通信可能なＩＣタグ付き電子機器を所持させて端末に入場者確認を行わせることで、従来の人間による入場確認よりもスムーズな入場処理を可能にした技術が、特許文献１で公開されている。この技術では、端末と利用者の携帯する電子機器間の無線通信でアトラクションの予約を行っているが、その際、利用客一人一人がアトラクション付近に設置された設置端末に対面して予約申し込み処理を行う必要があるため、人気のアトラクションの予約のためには利用客が端末前に長蛇の列を作る必要があり、時間を浪費するという問題がある。
【特許文献１】特開平１１−１８４９９９号公報
【発明の開示】
【発明が解決しようとする課題】
【０００３】
この発明は上記の点を鑑みてなされたもので、端末に並ばずにアトラクションを予約でき、これにより、利用客が順番待ちのために時間の浪費することを、従来より軽減することができるアミューズメント施設運営システムを提供することを目的とする。
【課題を解決するための手段】
【０００４】
上記の課題を解決するために、請求項１の発明は、無線通信によってネットワークと接続する携帯端末と、前記ネットワークに接続されたサーバと、前記ネットワークに接続され、アトラクションの入口に設置されたアトラクション入口端末とを具備するアミューズメント施設運営システムにおいて、前記携帯端末は、識別情報を予め記憶した識別情報記憶手段と、前記ネットワークに無線で接続する第１の通信手段と、前記識別情報記憶手段から前記識別情報を読み出す読み出し手段と、前記読み出された識別情報を、前記第１の通信手段を用いて前記サーバに送信し、前記アトラクションの予約を要求する予約要求手段と、前記サーバから、前記第１の通信手段を用いて予約時刻を含む予約確認情報を受信する予約確認情報受信手段と、前記受信した予約確認情報を予約確認情報記憶手段に格納する予約確認情報格納手段と、前記アトラクション入口端末と通信する第２の通信手段と、前記第２の通信手段を用いて前記アトラクション入口端末に前記予約確認情報を送信する確認時予約確認情報送信手段とを具備し、前記サーバは、前記複数の前記アトラクションの予約状況を記憶した予約状況記憶手段と、前記携帯端末から前記識別情報を受信する予約要求受信手段と、前記予約状況記憶手段内の予約確認情報を読み出して予約可能か否かを判断し、予約可能であれば、前記受信した前記識別情報を前記予約状況記憶手段に書き込む予約状況更新手段と、前記予約確認情報を生成して前記携帯端末に送信する予約時予約確認情報送信手段とを具備し、前記アトラクション入口端末は、前記携帯端末から送信される予約確認情報を受信して予約の有無を判断し外部に通知する予約確認手段を具備することを特徴とするアミューズメント施設運営システムである。
【０００５】
請求項２の発明は、請求項１の発明において、前記予約要求手段は、前記識別情報と共に予約を要求する時間を前記サーバに送信することを特徴とする。
【０００６】
請求項３の発明は、請求項１または２の発明において、前記識別情報記憶手段と、前記予約確認情報記憶手段と、前記予約確認情報送信手段と、前記第２の通信手段は、ＩＣチップに含まれることを特徴とする。
【０００７】
請求項４の発明は、請求項１〜３の発明において、前記携帯端末は、自身の現在位置を示す現在地情報を取得する現在地情報取得手段と、前記アミューズメント施設内の地図情報を予め記憶した地図情報記憶手段と、前記地図情報に基づいて地図を表示すると共に、前記現在地情報を前記地図上に表示する位置情報表示手段とを更に具備することを特徴とする。
【０００８】
請求項５の発明は、請求項４の発明において、予め記憶された、自身の場所を示す端末位置情報を記憶手段から読み出して、前記携帯端末に送信する端末位置情報送信手段を具備する位置情報端末を更に有し、前記携帯端末は、前記位置情報端末から送信される端末位置情報を受信する端末位置情報受信手段を更に有し、前記位置情報表示手段は、前記端末位置情報を前記地図上に更に表示することを特徴とする。
【０００９】
請求項６の発明は、請求項４の発明において、前記予約時予約確認情報送信手段は、前記アトラクションの位置を示すアトラクション位置情報を含む予約確認情報を生成して前記携帯端末に送信し、前記位置情報表示手段は、前記予約確認情報から前記アトラクション位置情報を読み出し、前記地図上に更に表示することを特徴とする。
【００１０】
請求項７の発明は、請求項４の発明において、前記携帯端末は、前記位置情報表示手段が表示する前記地図に対してユーザが指定する指定位置情報を入力する指定位置情報入力手段と、前記位置情報表示手段は、前記指定位置情報入力手段から入力された指定位置情報を前記地図上に更に表示することを特徴とする。
【００１１】
請求項８の発明は、請求項１〜７の発明において、前記携帯端末と通信する支払い端末を更に有し、前記携帯端末は、合計料金データを記憶する合計料金記憶手段と、前記支払い端末へ、前記合計料金データを送信する合計料金送信手段と、前記支払い端末から、更新された前記合計料金データを受信して前記合計料金記憶手段に格納する合計料金格納手段とを更に有し、前記支払い端末は、商品またはサービスの価格データを記憶する価格記憶手段と前記携帯端末から前記合計料金データを受信する合計料金受信手段と、前記価格記憶手段から前記価格データを読み出し、それにもとづいて前記受信した合計料金データを更新する合計料金更新手段と、前記更新した合計料金データを前記携帯端末へ送信する更新時合計料金送信手段とを具備することを特徴とする。
【発明の効果】
【００１２】
請求項１に記載の発明によれば、アミューズメント施設内に複数設置されたアクセスポイントの一つを介して、携帯端末が施設内のサーバにアトラクションの予約要求をし、サーバは予約状況記憶手段の予約状況に基づいて予約時刻を携帯端末に通知し、携帯端末は予約確認情報記憶手段に予約時刻を格納し、アトラクション入口端末は、予約確認情報記憶手段内の予約時刻を読み出すので、利用者は端末に並ぶことなくアトラクションを予約することができ、順番待ちのための時間の浪費をせずに済む。
【００１３】
また、請求項２に記載の発明によれば、携帯端末から要求する予約時間を送信するため、アトラクションの利用したい時間を指定して予約することができる。
【００１４】
また、請求項４に記載の発明によれば、アトラクション入口端末は、予約確認情報記憶手段内の予約時刻、アトラクション名（アトラクションコード）等を読み出し、携帯端末は現在の位置を示した地図を表示するため、利用客は施設内の地理的情報を得ることができ、施設内の目的地に向かうことが容易になる。
【００１５】
また、請求項８に記載の発明によれば、携帯端末が、施設内での有料な物品またはサービスの現在までの料金を記憶し、支払い端末がその料金を更新し、携帯端末が更新された料金を格納するため、施設内で利用客が現金を使用することがなくなり、利便性が高い。
【発明を実施するための最良の形態】
【００１６】
図１は、本実施形態によるアミューズメント施設（以下、施設という）運営システムの全体概要を示す図である。１００はセンタサーバ、２００はＰＤＡ（Ｐｅｒｓｏｎａｌ Ｄｉｇｉｔａｌ Ａｓｉｓｔｅｎｔ）で実現する携帯端末、３００はアトラクション入口端末、４００は位置情報端末、５００は入金・精算端末、６００は支払い端末、７００はアクセスポイント、また、８００は受付端末である。Ｎは、有線で敷設されたＬＡＮ（Ｌｏｃａｌ Ａｒｅａ Ｎｅｔｗｏｒｋ）で実現される施設内ネットワークである。
【００１７】
まず、携帯端末２００の構成を説明する。２１０は、制御部であり、センタサーバ１００が公開するＷｅｂサイトにアクセスするＷｅｂブラウザ機能、アトラクション予約時に必要なデータの読出し書込み処理を行う予約機能、後述の位置情報取得部２５０と連携して目的地までの経路を探すナビゲーション機能、任意の位置データを登録する位置データ登録機能、後述の電子マネーサービス利用時にパスワード照合するパスワード機能を有している。なお、詳細は後述する。２２０は、液晶ディスプレイ等で実現される表示部である。２３０は、揮発性、及び不揮発性のメモリであり、予め施設内の詳細な地図データ、及びアトラクション予約用ホームページのＵＲＬ（Ｕｎｉｆｏｒｍ Ｒｅｓｏｕｒｃｅ Ｌｏｃａｔｏｒ）が格納されている。２４０は、ファンクションキー、カーソルボタンで実現される入力部である。２５０は、ＧＰＳ（Ｇｌｏｂａｌ Ｐｏｓｉｔｉｏｎｉｎｇ Ｓｙｓｔｅｍ）を利用して現在位置を取得する位置情報取得部である。２６０は、無線によって、施設内に複数設置されているアクセスポイント７００を介して施設内ネットワークＮに接続する通信部である。２７０は、携帯端末２００の制御部２１０と接続しているＩＣ（Ｉｎｔｅｇｒａｔｅｄ Ｃｉｒｃｕｉｔ）チップであり、不揮発性メモリ（図示せず）、外部と無線通信を行うアンテナ（図示せず）、それを制御する制御部（図示せず）を搭載している。
ここで、ＩＣチップ２７０内の不揮発性メモリには、ユーザを識別するＩＤ（Ｉｄｅｎｔｉｆｉｃａｔｉｏｎ）と、後述する電子マネーサービスにおいて支払い方式を識別する支払い方式フラグと、合計利用料金或いは残高が格納される。以下では、支払い方式フラグに“０”が書き込まれている場合は後払い方式用のＩＣチップ２７０であることを示し、支払い方式フラグに“１”が書き込まれている場合は前払い方式用のＩＣチップ２７０であることを示す場合について説明する。後払い方式のＩＣチップ２７０には、合計利用料金として０の初期値が格納され、前払い方式のＩＣチップ２７０にも、残高として０の初期値が格納されている。
【００１８】
次に、センタサーバ１００の構成について、図２を参照して説明する。１１０は、制御部である。１１１は、施設内のアトラクションの予約状況を管理する予約部である。１１２は、アトラクションの予約が成立した際に、予約確認情報を生成する予約確認情報生成部である。１１３は、施設内に複数あるアトラクションの予約状況を、携帯端末２００に配信する配信部である。ここで、配信部１１３は、施設内ネットワークＮ内でのみ閲覧可能なホームページを公開するためのＷｅｂサーバ機能を搭載している。１１４は、アトラクション入口端末３００から係員によって入力される待ち時間を受信し、記憶部１２０に記憶させる待ち時間書込部である。１１５は、利用客が、携帯端末２００を用いて施設内で商品を購入した金額を受信し管理する課金・残高情報管理部である。１１６は、前述の課金・残高情報管理部１１５が管理する金額を、入金・精算端末５００に送信する課金・残高情報送信部である。ここで、予約部１１１、予約確認情報生成部１１２、配信部１１３、待ち時間書込部１１４、課金・残高情報管理部１１５、及び課金・残高情報送信部１１６は、制御部１１０に含まれる。記憶部１２０は、アトラクションの予約状況を格納する予約状況ＤＢ（Ｄａｔａｂａｓｅ）１２１、アトラクションの待ち時間を格納する待ち時間ＤＢ１２２、施設内の複数のアトラクションの位置情報を格納する位置情報ＤＢ１２３、利用客の課金額・残高等を格納する課金・残高情報ＤＢ１２４を有する。ここで、位置情報ＤＢ１２３に書き込まれたアトラクションの位置情報は、施設内の各アトラクションが設立された際に、予め既存の位置情報取得装置（例えばＧＰＳ端末）で予め取得してある。１３０は、施設内ネットワークＮと有線にて通信を行う通信Ｉ／Ｆ（Ｉｎｔｅｒｆａｃｅ）である。
【００１９】
次に、アトラクション入口端末３００の構成について、図３（ａ）を参照して説明する。ここで、アトラクション入口端末３００は、施設内に複数あるアトラクションの入口付近に設置されている。３１０は、制御部であり、ＩＣチップ２７０内の予約確認情報を読み出す予約確認部３１１と、係員から入力されるアトラクションの待ち時間を、センタサーバ１００へ送信する待ち時間送信部３１２とを含む。３２０は、施設内ネットワークＮと有線で通信する通信Ｉ／Ｆである。３３０は、タッチパネル機能を搭載した液晶ディスプレイである。３４０は、ＩＣチップ２７０と無線通信するＲＦＩＤ（Ｒａｄｉｏ Ｆｒｅｑｕｅｎｃｙ Ｉｄｅｎｔｉｆｉｃａｔｉｏｎ）リーダライタである。３６０は、揮発性、及び不揮発性のメモリである。
【００２０】
次に、位置情報端末４００の構成について、図３（ｂ）を参照して説明する。ここで、位置情報端末４００は、施設周辺の駐車場に設置されている。４１０は、制御部であり、位置情報書込部４１１、課金額・残高読出し部４１２、計算部４１３、課金額・残高書込部４１４を含む。位置情報書込部４１１は、携帯端末２００に位置情報を書き込む。課金額・残高読出部４１２は、駐車料金の精算時に、ＩＣチップ２７０内の現在の課金額、或いは残高を読み出す。ここで、前述の、ＩＣチップ２７０の支払い方式フラグが“０”（後払い方式）であった場合は課金額、前払い方式であった場合は残高が読み出される。計算部４１３は、後述のカレンダー部４５０が管理する日付に基づいて駐車料金を算出する。課金額・残高書込部４１４は、計算部４１３が算出した駐車料金に基づき、課金額・残高読出部４１１によって読み出された課金額、或いは残高を更新した結果をＩＣチップ２７０に書き込む。４２０は、施設内ネットワークＮと有線で通信する通信Ｉ／Ｆである。４３０は、タッチパネル機能を搭載した液晶ディスプレイである。４４０は、ＩＣチップ２７０と無線通信するＲＦＩＤリーダライタである。４５０は暦データを保持し、現在の日付を計算するカレンダー部である。４６０は、揮発性、及び不揮発性のメモリであり、不揮発性メモリには、自身の位置情報が格納されている。
【００２１】
次に、入金・精算端末の構成について、図４（ａ）を参照して説明する。ここで、入金・精算端末５００は、施設内の複数箇所に点在し、また、入退場場所にも設置されている。５１０は制御部である。５１１は、受信したＩＣチップ２７０の支払い方式フラグから、支払い方式を判定する判定部である。５１２は、支払い方式フラグに“１”（前払い方式）が格納されたＩＣチップ２７０に対して、入金処理を行う入金部である。５１３は、精算処理を行う精算部である。ここで、判定部５１１、入金部５１２、精算部５１３は制御部５１０に含まれる。５２０は、施設内ネットワークＮと有線で通信する通信Ｉ／Ｆである。５３０は、タッチパネル機能を搭載した液晶ディスプレイである。５４０は、ＩＣチップ２７０と無線通信するＲＦＩＤリーダライタである。５５０は、入金、精算時に利用客が投入する貨幣、及び釣銭用の貨幣を格納する貨幣保持部である。ここで、入金・精算端末５００は、貨幣投入用の投入口（図示せず）と、釣銭を排出する釣銭口（図示せず）を有する。５６０は、揮発性、及び不揮発性のメモリである。
【００２２】
次に、支払い端末６００の構成について、図４（ｂ）を参照して説明する。ここで、支払い端末６００は、施設内の売店に設置されている。支払い端末６００は、前述の位置情報端末４００が搭載する機能と同様な、課金額・残高読出部６１１、計算部６１２、課金額・残高書込部６１３を含む制御部６１０を搭載している。６２０は、施設内ネットワークＮと有線で通信する通信Ｉ／Ｆである。６３０は、タッチパネル機能を搭載した液晶ディスプレイである。６４０は、ＩＣチップ２７０と無線通信するＲＦＩＤリーダライタである。６５０は、商品のＩＤを読み取る商品ＩＤ入力部である。６６０は、揮発性、及び不揮発性のメモリであり、不揮発性メモリには、商品ＩＤと商品価格を関連付けた価格データが格納されている。
【００２３】
次に、施設の入場受付に設置された受付端末８００の構成について図５を参照して説明する。受付端末８００は、前述の支払い端末６００と同様な、通信Ｉ／Ｆ８２０、タッチパネル式表示部８３０、ＲＦＩＤリーダライタ８４０、揮発性及び不揮発性メモリ８６０を搭載している。８１０は制御部であり、利用客の個人データをセンタサーバ１００へ送信して登録を要求する利用客データ送信部８１１を含んでいる。
【００２４】
ここで、上記の携帯端末２００、センタサーバ１００、アトラクション入口端末３００、位置情報端末４００、入金・精算端末５００、支払い端末６００、受付端末８００はＣＰＵ（中央演算装置）（図示せず）を実装しており、上述した各制御部が搭載する各機能を実現するプログラム（図示せず）を揮発性メモリ上にロードして実行することで実現する。
なお、上記の各機能は、専用のハードウェアを用いて実現されても良い。
【００２５】
以下では、上記の携帯端末２００に施設管理者が初期処理を施す動作を説明する。施設管理者は、携帯端末２００に搭載されたＩＣチップ２７０の不揮発性メモリに格納されたＩＤを、センタサーバ１００の課金・残高情報ＤＢ１２４に格納して登録する。その後、登録を終えた携帯端末２００は、施設の入場受付に置いておく。なお、この初期処理は、業者から携帯端末２００の納品を受けた後、一度行えば良い。
【００２６】
次に、施設内に入場する利用客に携帯端末２００が貸与される際の動作を説明する。利用客は、施設内に入場する前に、受付で申請書に氏名と、施設内の支払い方式を前払い方式にするか後払い方式にするかの選択を記入して提出する。受付員は、入場受付に置いてある携帯端末２００のＩＣチップ２７０のＩＤを受付端末８００で読み取った後、入場受付に設置された受付端末８００に、利用客の氏名と支払い方式を入力する。受付端末８００の制御部８１０は、センタサーバ１００に、利用客の氏名と支払い方式を送信し、且つ、その支払い方式に基づいて、ＩＣチップ２７０の支払い方式フラグに“０”（後払い方式）または“１”（前払い方式）を書き込む。そして、受付員は、利用客に携帯端末を貸与する。センタサーバ１００は、利用客の氏名とＩＣチップ２７０のＩＤと支払い方式を課金・残高情報ＤＢ１２４に格納する。そして利用客は、貸与された携帯端末２００に、パスワードを設定する。
【００２７】
次に、アトラクション予約サービス時の動作について、図６を参照して説明する。アトラクション予約サービスとは、利用客が、施設内の任意の場所からアトラクションを予約することができるサービスである。まず、利用客が、携帯端末２００の入力部２４０から、アトラクションの予約を要求すると、携帯端末２００のＷｅｂブラウザ機能が、予めメモリ２３０に格納してあるホームページのＵＲＬを参照してセンタサーバ１００のＷｅｂサイトにアクセスし、アトラクション予約申し込み用のホームページ閲覧を要請する。これを受けて、センタサーバ１００の配信部１１３は、アトラクション名の一覧を送信して携帯端末２００の表示部２２０に表示させる。利用客はこの表示を見て、所望のアトラクション名を入力部２４０から選択し、携帯端末２００の制御部２１０がセンタサーバ１００へ選択結果を送信して、アトラクションの予約要求をする（ステップＳ１０）。センタサーバ１００がこれを受信する（ステップＳ２０）と、配信部１１３が、予約状況ＤＢ１２１を参照し、現在、予約可能な時間のリストを検索して携帯端末２００に送信する（ステップＳ２１）。ここで、予約状況ＤＢ１２１には、図７で示すように、各アトラクションの利用時間帯、それに対応する予約人数、及び許容人数等の予約状況データが格納されている。
【００２８】
携帯端末２００は、予約可能な時間のリストを受信すると、それをＷｅｂブラウザが表示部２２０に表示させる。利用客が表示されたリストを見て、入力部２４０から予約時間を選択する（ステップＳ１１）と、制御部２１０がＩＣチップ２７０からＩＤを読み出し、それを選択された予約時間と共にセンタサーバ１００に送信する（ステップＳ１２）。これを受けて、センタサーバ１００の予約部１１１は、最新の予約状況ＤＢ１２１を参照して、受信した予約要求時間が予約可能か判断する。予約可能と判断した場合（ステップＳ２２）、受信したＩＤを予約状況ＤＢ１２１の予約要求のあった時間に対応させて、格納する。次いで、予約確認情報生成部１１２が、予約成立したアトラクションの位置情報を、位置情報ＤＢ１２３から検索し、これと、アトラクション名、予約時間から成る予約確認情報を生成して携帯端末２００へ送信する（ステップＳ２３）。アトラクションの位置情報は、後述の施設内ナビゲーションサービス時に利用する。携帯端末２００の制御部２１０は、予約確認情報を受信すると、ＩＣチップ２７０の不揮発性メモリへこれを書き込み（ステップＳ１３）、次いで、表示部２２０に予約確認情報を表示させ（ステップＳ１４）る。携帯端末２００の制御部２１０は、ＩＣチップ２７０に格納されている予約確認情報を、その後、入力部から要求があればいつでも表示させる。
【００２９】
利用客は、予約確認情報を確認して表示された予約時間に該当アトラクションに出向き、アトラクション入口端末３００に携帯端末２００をかざす。アトラクション入口端末３００のＲＦＩＤリーダライタは、携帯端末２００内のＩＣチップ２７０を検知し、不揮発性メモリ内の予約確認情報読出しを要求する。これを受けてＩＣチップ２７０が予約確認情報をアトラクション入口端末３００に送信すると、アトラクション入口端末３００の予約確認部３１０は、ＩＣチップ２７０のＩＤと予約確認情報を読み取り（ステップＳ３０）、予約確認後にＩＣチップの予約確認情報を消し込み（ステップＳ３１、ステップＳ１５）、ＩＤと消し込みした予約確認情報をセンタサーバ１００に送信して、センタサーバ１００側の予約情報（ＩＤ含む）を削除し、予約状況ＤＢ１２１を更新する。ここで、一つの携帯端末２００からの可能な予約数をセンタサーバ１００側で制限し、予約数が一定数に達していると、新たな予約は不可とする。予約を利用した後にはＩＣチップ及び、センタサーバ１００上の予約情報を削除し、再び予約することが可能となる。その後、アトラクション入口端末３００の予約確認部３１１は、タッチパネル表示部３３０に入場可能を表示させ（ステップＳ３２）て、利用客に通知する。
【００３０】
次に、前述のステップＳ２１とステップＳ２２の間に、別の利用客がアトラクションの予約をしたために予約不可となる場合の動作について、図８のシーケンス図を参照して説明する。まず、利用客Ａによって、図６と同様にステップＳ１２までの動作が行われる。一方、利用客Ｂもまた、携帯端末２００を用いてセンタサーバ１００にアクセスする。利用客Ａの予約動作におけるステップＳ２１の処理の後、予約時間とＩＤをセンタサーバ１００が受信するまでの間に、利用客Ｂからの予約時間とＩＤをセンタサーバ１００が受け取る。例えば、ステップＳ２１にてアトラクションＡの予約状況が図７に示すような状態の時に、利用客Ｂが１３：００〜１４：００で予約を要求して成立し、その後、利用客ＡからＩＤと、利用客Ｂと同一の予約時間を受信する。センタサーバ１００の予約部１１１は、最新の予約状況ＤＢ１２１を参照し、受信した予約時間が既に許容人数に達し、予約不可であると確認する（ステップＳ２２ａ）。次いで、予約部１１１は、利用客Ａの携帯端末２００に予約不可を通知し（ステップＳ２３ａ）、利用客Ａの携帯端末２００の制御部２１０は、表示部２２０に予約不可を表示させて利用客Ａに通知する（ステップＳ１３ａ）。
【００３１】
その後、利用客Ａが、予約できなかったにも拘らず、アトラクションＡに出向き入場しようとした場合、アトラクション入口端末３００は、利用客Ａの所持する携帯端末２００内のＩＣチップ２７０の不揮発性メモリを読出して予約確認情報が無いことを確認し（ステップＳ３０ａ）、タッチパネル表示部３３０に入場不可を表示させ（ステップＳ３１ａ）て、利用客Ａの入場が許可されなかったことを通知する。
【００３２】
次に、施設内ナビゲーションサービス時の動作について説明する。ここで、施設内には、図１で示したように、施設内ネットワークＮに接続するアクセスポイントが多数設置されている。また、利用客の所持している携帯端末２００の位置情報取得部２５０は、定期的に現在位置情報を取得している。
まず、利用客が、位置情報取得機能により、任意のポイントを携帯端末２００に登録する動作を説明する。利用客は、入力部２４０からナビゲーション機能の開始を要求し、これを受けて携帯端末２００の制御部２１０は、位置情報取得部２５０が取得した位置情報を読み取り、近辺の地図情報をメモリ２３０から読み出して現在位置と共に表示させる。その後、利用客は、表示された地図を見て入力部２２０のカーソルボタンを操作しながら地図の表示を移動させ、所望の位置（例えば、待ち合わせ場所等）を地図上に表示させ、登録を要求する。携帯端末２００の制御部２１０は、その場所の位置情報をメモリ２３０に保持する。
次に、利用客が、携帯端末２００の入力部２６０から地図の再表示を要求すると、携帯端末２００の制御部２１０は、登録ポイントの位置を示す記号を地図上に表示させる。また、前述のアトラクション予約サービスで、携帯端末２００が、予約確認情報をメモリ２３０内に格納している場合、制御部２１０は、予約確認情報の中からアトラクション位置情報を読み出し、それに基づいてアトラクション位置を示す記号を地図上に表示させる。例えば、図１０のように、アトラクション位置９０１及び予約時刻と現在位置９０２が地図９０３上に表示される。
その後、利用客は、前述の登録ポイント或いはアトラクション位置に目的地を設定するよう指示し、現在位置から目的地までのルート探索を要求する。これを受けて、携帯端末２００の制御部２１０は、ルート探索を行って、結果を地図上に表示する。
【００３３】
次に、後払い方式に設定された携帯端末２００を使用した電子マネーサービス時の動作について、図１１を参照して説明する。まず、利用客が、施設内の売店で商品を手に取り、レジ等の支払い端末６００に向かう（ステップＳ１０１）。売店の係員が、商品に対応するバーコード等で表現された商品ＩＤを商品ＩＤ入力部６５０から読み込ませると、支払い端末６００の課金額・残高読出部６１１は、不揮発性メモリ内の価格データを参照して、入力された商品のＩＤに対応する価格を読み出す（ステップＳ１０２）。商品が複数あればステップＳ１０２の価格読み出しの動作を繰り返し、計算部６１２が合計の購入額を算出する。次いで、精算処理をするよう、タッチパネル表示部６３０に表示させる。係員は表示を見て、利用客に精算処理を依頼する。利用客は、携帯端末２００を支払い端末６００にかざすと、支払い端末６００のＲＦＩＤリーダライタ部６４０がこれを検知し、ＩＣチップ２７０内のＩＤ及び支払い方式フラグと、合計利用料金または残高の送信を要求する。これを受けて、携帯端末２００の制御部２１０は、パスワード入力の要求を表示する。利用客はこれを見て、入場時に携帯端末２００に設定したパスワードを入力する（ステップＳ１０３）。次いで、携帯端末２００の制御部２１０が設定時のパスワードとこれを照合し、合っていれば、ＩＣチップ２７０がＩＤ、支払い方式フラグ、及び合計利用料金を支払い端末６００へ送信する。支払い端末６００の課金額・残高読出部６１１は、受信した支払い方式フラグから支払い方式を判定する。後払い方式と判定すると、計算部６１２が、受信した合計利用料金に前述の購入額を加算する。その後、課金額・残高書込部６１３が、ＩＣチップ２７０に加算した購入額を送信して書き込みを要求し（ステップＳ１０４）、ＩＣチップ２７０はこれを書き込む。次いで、支払い端末６００の課金額・残高書込部６１３は、施設内ネットワークＮを経由してセンタサーバ１００に、ＩＤ、支払い方式フラグ、及び加算後の合計利用料金を送信する（ステップＳ１０５）。これを受けて、センタサーバ１００の課金・残高情報管理部１１５は、課金・残高情報ＤＢ１２４に合計利用料金、ＩＤ、支払い方式フラグが対応するように格納する。
【００３４】
他方、ステップＳ１０４の動作の後、携帯端末２００の制御部２１０が、現在の合計利用料金を表示させると、利用客は、これを確認する（ステップＳ１０６）。なお、この表示処理は無くても良い。また、利用客が、携帯端末２００の入力部２４０から合計利用料金の表示要求をした場合、その都度表示させても良い。
【００３５】
その後、利用客が施設内で、再び商品を購入する場合は、ステップＳ１０１に遷移して処理を繰り返す。一方、利用客が退場する場合は入退場場所に行き（ステップＳ１０７）、設置された入金・精算端末５００で精算を行う。まず、利用客は携帯端末２００を入金・精算端末５００にかざすと、入金・精算端末５００のＲＦＩＤリーダライタ５４０が携帯端末２００内のＩＣチップ２７０を検知する。次いで、入金・精算端末５００の判定部５１１が、ＩＣチップ２７０にＩＤと支払い方式フラグを要求して受信し、その支払い方式フラグから支払い方式を判定する。判定部５１１が、支払い方式フラグを読み出し、後払い方式と判定すると、精算部５１３は、センタサーバ１００にＩＤを送信し、センタサーバ１００の課金・残高情報送信部１１６は、そのＩＤに対応する合計利用料金を課金・残高情報ＤＢ１２４から読み出し、入金・精算端末５００に送信する。これを受けた入金・精算端末５００の精算部５１３は、合計利用料金を表示させ（ステップＳ１０８）、利用客は表示された合計利用料金を確認し、それに十分な貨幣を入金・精算端末５００の投入口に投入する（ステップ１０９）。入金・精算端末５００の精算部５１３は、投入された金額が合計利用料金以上か判断し、上回っていれば貨幣保持部５５０から差分を取り出し、釣銭口から排出させる。差分が無ければ精算処理は終了する。
【００３６】
なお、上述のステップＳ１０３〜Ｓ１０４の、携帯端末２００の制御部２１０が行うパスワード照合処理は、利用客が携帯端末２００を紛失した場合等、他人によって、その携帯端末２００で、上記のような支払い処理が行われることを防止するために行う。
【００３７】
次に、前払い方式に設定された携帯端末２００を使用した電子マネーサービス時の動作について、図１２を参照して説明する。まず、利用客が、施設内に入場する際、入退場場所に設置された入金・精算端末５００に携帯端末２００をかざすと、入金・精算端末５００のＲＦＩＤリーダライタ５４０は、携帯端末２００に搭載されたＩＣチップ２７０を検知する。次いで、判定部５１１が、ＩＣチップ２７０にＩＤと支払い方式フラグを要求して受信し、その支払い方式フラグから支払い方式を判定する。判定部５１１が、支払い方式フラグを読み出し、前払い方式と判定すると、タッチパネル表示部５３０に、入金処理か精算処理かの選択を表示させる。利用客が入金処理を選択すると、入金額を入力するようタッチパネル式表示部５３０から要求し、利用客はタッチパネル式表示部５３０から所望の入金額を入力する。次いで、入金・精算端末５００の入金部５１２は、入金額を投入するよう表示し、利用客が投入口から貨幣を投入する（ステップＳ１１１）と、投入額が入力された入金額以上か判断する。そして、入金額未満なら不足を表示し、入金額より多ければ差分を計算し、相当の貨幣を貨幣保持部５５０から釣銭口へ排出する。その後、入金部５１２は、ＩＣチップ２７０に残高を要求して取得し、入金額に加算してＩＣチップ２７０に書き込ませる。次いで、ＩＤと支払い方式フラグと加算後の残高を、センタサーバ１００へ送信する（ステップＳ１１２）。センタサーバ１００の課金・残高情報管理部１１５は、受信した残高、ＩＤ、及び支払い方式フラグを、対応付けて課金・残高情報ＤＢ１２４に格納する。ここで、格納された残高は、ＩＣチップ２７０の残高のバックアップとして保持される。
【００３８】
次に、利用客が、施設内の売店で、商品を手に取ってレジ等の支払い端末６００に向かい、上述のステップＳ１０１〜Ｓ１０３の処理を同様に行う（ステップＳ１１３〜Ｓ１１５）。その後、支払い端末６００の課金額・残高読出部６１１が、ＩＣチップ２７０から支払い方式フラグとＩＤを受信し、支払い方式を判定する。前払い方式と判定すると、更に残高を受信し（ステップＳ１１６）、計算部６１２が、ステップＳ１１４〜Ｓ１１５にて得た購入額と残高を比較して、残高が購入額以上かどうか判断する（ステップＳ１１７）。残高が購入額未満で購入不可の場合は、計算部６１２が、購入不可のエラーを表示させる（ステップＳ１１８）。ここで、入金を行う場合はステップＳ１１１に遷移して処理を繰り返す。また、退場する場合、後述のステップＳ１２４に遷移する。
【００３９】
一方、残高が購入額以上の場合、課金額・残高書込部６１３は、残高から購入額を減算した結果を、ＩＣチップ２７０に送信し、書き込ませる（ステップＳ１１９）。次いで、センタサーバへ、ＩＣチップ２７０のＩＤ、支払い方式フラグ、及び残高を送信する（ステップＳ１２０）。センタサーバ１００の課金・残高情報管理部１１５は、ＩＤと対応付けて、受信した残高を課金・残高情報ＤＢ１２４に格納する。そして、携帯端末２００の課金額・残高書込部６１３は、減算後の残高を表示させ、利用客はこれを見て残高を確認する（ステップＳ１２１）。その後、利用客が、再び入金する（ステップＳ１２３）時はステップＳ１１１、入金せずに売店で再び商品を購入する場合はステップＳ１１３に遷移して処理を繰り返す。他方、利用客が退場する（ステップＳ１２２）場合、利用客は入退場場所に設置されている入金・精算端末５００に携帯端末２００をかざす（ステップＳ１２４）。次いで、入金・精算端末５００のＲＦＩＤリーダライタ５４０がこれを検知すると、判定部５１１が、ＩＣチップ２７０にＩＤと支払い方式フラグを要求して受信し、その支払い方式フラグから支払い方式を判定する。判定部５１１が、前払い方式と判定すると、タッチパネル表示部５３０に、入金処理か精算処理かの選択を表示させる。利用客が精算処理を選択すると、精算部５１３がＩＣチップ２７０に残高を要求して取得し、タッチパネル表示部５３０に残高を表示して、利用客の承諾を要求する。利用客がタッチパネル表示部５３０から承諾すると、精算部５１３は、残高と同額の貨幣を貨幣保持部５５０から釣銭口に排出させる（ステップＳ１２５）。
【００４０】
なお、上述において、前払い方式の電子マネーサービスにおける入金、及び支払い時に、ＩＣチップ２７０内の残高をセンタサーバ１００に送信して格納し、バックアップ用に管理したが、格納・管理をしなくても良い。また、バックアップ用ではなく、これに格納されている残高を入金・支払い時に参照しても良い。
【００４１】
また、上述において、支払い方式フラグで携帯端末に支払い方式を設定したが、例えば、ＩＤが０〜４９９９は後払い方式、ＩＤが５０００以降は前払い方式として予めＩＣチップ２７０に格納し、ＩＤによって支払い方式を識別しても良い。
【００４２】
また、上述において、後払い方式の電子マネーサービス時に、入金・精算端末５１３は、センタサーバ１００にＩＤを送信し、対応する合計利用料金をセンタサーバ１００から取得し、精算処理を行ったが、携帯端末２００のＩＣチップ２７０に格納されている合計利用料金を読み出して行っても良い。
【００４３】
また、上述において、電子マネーサービスでの後払い方式は、退場時に精算する方法を取ったが、入場時に、クレジットカード支払い、口座引き落とし、口座振込み（例えば、後日、施設管理者が請求書を利用客住所に送信し、指定口座に振り込みを依頼する）、及び退場時現金払いかを選択させても良い。その際、まず、利用客がクレジットカード払いを選択する場合はクレジットカード番号を、口座引き落としを選択する場合は利用客の口座番号、口座振込みを選択する場合は利用客住所を申請書に記入して入場受付に提出させ、それらの個人情報を受付端末からセンタサーバ１００に送信し、センタサーバ１００はこれを課金・残高情報ＤＢ１２４に格納して管理する。その後、上述の図１１のステップＳ１０１〜Ｓ１０７までの処理を同様に行い、利用客は施設を退場する。次に、施設管理者は、毎月の精算のまとめ日を決めておき、その日までの過去一ヶ月間の合計利用料金を算出する。そして、課金・残高情報ＤＢ１２４の各支払方法に基づく情報（クレジット番号、口座番号、住所）を読み出して、クレジットカード支払い希望の利用客の場合は該当クレジット会社へ請求し、口座引き落とし希望の利用客の場合は該当金融機関へ請求し、口座振込み希望の利用客の場合は振り込み方法と共に請求書を該当住所へ郵送する等の処理を行う。
【００４４】
また、上述において、携帯端末２００の位置情報取得にはＧＰＳを利用したが、無線ＬＡＮを利用しても良い。その場合、図１３に示すように、施設内に複数設置されている無線ＬＡＮ用のアクセスポイント７００ａ、７００ｂ、７００ｃ、７００ｄに、携帯端末２００から受信する電波強度を感知する機能を搭載しておく。ここで、破線で描かれた円は、その中心のアクセスポイント７００ａ、７００ｂ、７００ｃ、７００ｄの通信限界を示す。そして、携帯端末２００とアクセスポイント７００ｂ、７００ｃとが通信することによって、アクセスポイント７００に対する相対的な位置を特定する。
図１３の場合、センタサーバ１００は、アクセスポイント７００ｃ周辺に携帯端末２００が存在すると認識する。
【００４５】
なお、上述において、利用客が、施設内の各アトラクションの予約しない場合の待ち時間を、センタサーバ１００が公開するホームページから閲覧しても良い。その場合、アトラクション入口での予約なしの場合の待ち時間状況を、係員が定期的に計測し、アトラクション入口端末３００のタッチパネル表示部３３０から待ち時間を入力して、センタサーバ１００へ送信する。これを受けてセンタサーバ１００の待ち時間書込部１１３は、待ち時間ＤＢ１２２の該当部分を更新する。この結果、待ち時間ＤＢ１２２には、図９に示すように、施設内の各アトラクションと、現在の待ち時間が対応づいて格納される。その後、上述したアトラクション予約状況の場合と同様に、配信部１１３から待ち時間用のホームページを公開して、携帯端末２００等から閲覧できるようにする。
【００４６】
また、上述において、携帯端末２００は利用客に貸与されたが、利用客に買い取らせても良い。その場合、携帯端末２００は退場時に回収せず、繰り返し施設内で使用できるものとする。支払方法は上述の実施形態と同様で良い。
また、買い取りの携帯端末２００を所持した利用客が、自動車で来場した場合、駐車位置を把握し易くするために、駐車場に複数設置されている位置情報端末４００を利用して、駐車場内の駐車位置を登録させても良い。その場合、利用客は、駐車場に設置された位置情報端末４００に、予め買い取ってある携帯端末２００をかざすと、位置情報端末４００のＲＦＩＤリーダライタ４４０がＩＣチップ２７０を検知し、位置情報書込部４１１が、不揮発性メモリ内に予め格納された、前述の位置情報端末４００の位置情報を読み出し、ＩＣチップ２７０へ書き込む。利用客が上述した施設内ナビゲーションサービスを利用するために、携帯端末２００の入力部２６０から地図の表示を要求すると、制御部２１０が、書き込まれた位置情報端末４００の位置情報を読み出し、それに基づいて位置情報端末の位置を示す記号を地図上に表示させる。
また、更に、位置情報端末４００に、上述の実施形態での支払い端末６００と同様に、課金額・残高読出部４１２、計算部４１３、課金額・残高書込部４１４の機能を搭載し、買い取りの携帯端末２００を用いて駐車料金の精算を行わせても良い。
【００４７】
なお、上記において、アトラクションの利用予約をする際に、アトラクション名を用いてアトラクションを識別し、センタサーバ１００と携帯端末２００間で送受信したが、両者の間で各アトラクションに対応するアトラクションＩＤを取り決めておき、アトラクションＩＤを送受信しても良い。
【００４８】
また、上述において、支払い端末６００は施設内の売店に設置されるとしたが、飲食店、または有料のアトラクション等、入場料以外の支払いが必要な場所に設置されても良い。その場合、飲食店においては、支払い端末６００に、飲食品のメニューと料金を対応付けてメモリ６６０に格納しておき、商品読取部６５０は、利用客が飲食したメニューを識別するＩＤを読み出す。また、有料アトラクションにおいては、固定の料金を記憶しておき、上述と同様に課金額の加算または残高の減算を行う。
【００４９】
また、上述において、ＩＣチップ２７０は携帯端末２００に有線で接続しているとしたが、携帯端末２００にＲＦＩＤリーダライタを搭載し、無線で通信をしても良い。その場合、上記の実施形態における携帯端末２００の制御部２１０がデータをＩＣチップ２７０へ書き込む動作は、制御部２１０がデータ書き込み要求をＲＦＩＤリーダライタに送信し、次いで、ＲＦＩＤリーダライタが、そのデータ書き込み要求をＩＣチップ２７０へ送信し、ＩＣチップ２７０が受信したデータを書き込む動作を意味する。また、制御部２１０がデータをＩＣチップ２７０から読み出す動作は、制御部２１０がデータ読み出し要求をＲＦＩＤリーダライタに送信し、次いで、ＲＦＩＤリーダライタが、そのデータ読み出し要求をＩＣチップ２７０へ送信し、ＩＣチップ２７０がＩＣチップ内の不揮発性メモリから指定されたデータを読み出してＲＦＩＤリーダライタへ送信し、制御部２１０がこれを受信する動作を意味する。
【００５０】
また、上述において、携帯端末２００はＰＤＡを利用したが、上述と同様の機能を有する携帯電話等でも良い。
【００５１】
また、上述において、ＬＡＮで実現される施設内ネットワークＮを利用したが、インターネット等の公衆回線を利用しても良い。その場合、携帯端末２００には公衆回線との接続を可能にする機能を持ち、センタサーバ１００も同様に公衆回線に接続可能な機能を持つ。
【００５２】
以上、この発明の実施形態を、図面を参照して詳述してきたが、具体的な構成はこの実施形態に限られるものではなく、この発明の要旨を逸脱しない範囲の設計等も含まれる。
【図面の簡単な説明】
【００５３】
【図１】本発明の一実施形態による、アミューズメント施設運営システムの全体概要を示す図である。
【図２】同実施形態に用いられる、センタサーバの構成図である。
【図３】同実施形態に用いられる、（ａ）アトラクション入口端末の構成図、及び（ｂ）位置情報端末の構成図である。
【図４】同実施形態に用いられる、（ａ）入金・精算端末の構成図、及び（ｂ）支払い端末の構成図である。
【図５】同実施形態に用いられる、受付端末の構成図である。
【図６】同実施形態における、アトラクション予約時の動作を示すシーケンス図である。
【図７】同実施形態における、予約状況ＤＢの内容を示す図である。
【図８】同実施形態における、アトラクション予約時の動作を示すシーケンス図である。
【図９】同実施形態における、待ち時間ＤＢの内容を示す図である。
【図１０】同実施形態における、施設内ナビゲーションサービス利用時に携帯端末が地図を表示する際の表示画面の図である。
【図１１】同実施形態における、後払い方式に設定された携帯端末を使用した電子マネーサービス時の動作を示すフローチャートである。
【図１２】同実施形態における、前払い方式に設定された携帯端末を使用した電子マネーサービス時の動作を示すフローチャートである。
【図１３】同実施形態における、無線ＬＡＮを用いた位置情報取得の方法を説明する図である。
【符号の説明】
【００５４】
１００…センタサーバ
１１０…制御部
１１１…予約部
１１２…予約確認情報生成部
１１３…配信部
１１４…待ち時間書込部
１１５…課金・残高情報管理部
１１６…課金・残高情報送信部
１２０…記憶部
１２１…予約状況ＤＢ
１２２…待ち時間ＤＢ
１２３…位置情報ＤＢ
１２４…課金・残高情報ＤＢ
１３０…通信Ｉ／Ｆ
２００…携帯端末
２１０…制御部
２２０…表示部
２３０…メモリ
２４０…入力部
２５０…位置情報取得部
２６０…通信部
２７０…ＩＣチップ
３００…アトラクション入口端末
３１０…制御部
３１１…予約確認部
３１２…待ち時間送信部
３２０…通信Ｉ／Ｆ
３３０…タッチパネル式表示部
３４０…ＲＦＩＤリーダライタ部
３６０…メモリ
４００…位置情報端末
４１０…制御部
４１１…位置情報書込部
４１２…課金額・残高読出部
４１３…計算部
４１４…課金額・残高書込部
４２０…通信Ｉ／Ｆ
４３０…タッチパネル式表示部
４４０…ＲＦＩＤリーダライタ部
４５０…カレンダー部
４６０…メモリ
５００…入金・精算端末
５１０…制御部
５１１…判定部
５１２…入金部
５１３…精算部
５２０…通信Ｉ／Ｆ
５３０…タッチパネル式表示部
５４０…ＲＦＩＤリーダライタ部
５５０…貨幣保持部
５６０…メモリ
６００…支払い端末
６１０…制御部
６１１…課金額・残高読出部
６１２…計算部
６１３…課金額・残高書込部
６２０…通信Ｉ／Ｆ
６３０…タッチパネル式表示部
６４０…ＲＦＩＤリーダライタ部
６５０…商品ＩＤ入力部
６６０…メモリ
７００…アクセスポイント
７００ａ…アクセスポイント
７００ｂ…アクセスポイント
７００ｃ…アクセスポイント
７００ｄ…アクセスポイント
８００…受付端末
８１０…制御部
８１１…利用客データ送信部
８２０…通信Ｉ／Ｆ
８３０…タッチパネル式表示部
８４０…ＲＦＩＤリーダライタ部
８６０…メモリ
９０１…アトラクション位置
９０２…現在位置
９０３…地図
Ｎ…施設内ネットワーク
【図１】
2006228105.tif 000003
【図２】
2006228105.tif 000004
【図３】
2006228105.tif 000005
【図４】
2006228105.tif 000006
【図５】
2006228105.tif 000007
【図６】
2006228105.tif 000008
【図７】
2006228105.tif 000009
【図８】
2006228105.tif 000010
【図９】
2006228105.tif 000011
【図１０】
2006228105.tif 000012
【図１１】
2006228105.tif 000013
【図１２】
2006228105.tif 000014
【図１３】
2006228105.tif 000015